(57)【要約】【課題】排泄物を直接収容する部分のみを簡単、清潔に廃棄処理することができ、使用中万一排泄物を収容する部分に破損が生じても装着者に被害を与えることなく安心して使用できる排泄物用収容装具を提供する。【解決手段】人体に造設した排泄孔に装着する接皮部１の非接皮側に第１のフランジ４を固定し、第１のフランジ４と着脱可能な第２のフランジ７の非接皮側に外側袋体１０を取り付け、外側袋体１０の内側に外側袋体と分離し得るように内側袋体１５を収納し、外側袋体１０は非水溶性のフィルムから形成し、内側袋体１５は水に可溶又は崩壊する水溶性のフィルムから形成し、外側袋体１０は内側袋体１５を外側袋体から分離して交換するための開閉可能な口１４を有する。【選択図】図１
2006043482.tif 000002
【特許請求の範囲】
【請求項１】
人体に造設した排泄孔に対応する開口を有する接皮部と、
接皮部の非接皮側に固定され接皮部の開口に対応する開口を有する第１のフランジと、
第１のフランジの接皮部と反対側に着脱可能であり第１のフランジの開口に対応する開口を有する第２のフランジと、
第２のフランジの接皮部と反対側に取り付けられ接皮部、第１のフランジ及び第２のフランジの各開口と対応する開口を有する外側袋体と、
外側袋体の内側に外側袋体とは分離し得るように収納され排泄孔より接皮部及び第１のフランジの各開口を介して排出される排泄物を収容するための内側袋体と
を備え、
外側袋体は非水溶性のフィルムから形成され、
内側袋体は水に可溶又は崩壊する水溶性のフィルムから形成され、
外側袋体は内側袋体を外側袋体から分離して交換するための開閉可能な口を有する
ことを特徴とする排泄物用収容装具。
【請求項２】
第１のフランジがリング状の嵌合部を有し、第２のフランジが接皮部の側に第１のフランジの嵌合部と着脱可能なリング状の嵌合部を有することを特徴とする請求項１記載の排泄物用収容装具。
【請求項３】
第１のフランジと第２のフランジとの間に内側袋体の開口部を挟み込むことにより内側袋体を接皮部と結合し得るようにしたことを特徴とする請求項１又は２記載の排泄物用収容装具。
【請求項４】
内側袋体はその開口部にリング状の粘着絆を有し、この粘着絆により第１のフランジ、接皮部の非接皮側の表面、又は第２のフランジの接皮部と反対側に着脱可能に取り付けたことを特徴とする請求項１又は２記載の排泄物用収容装具。
【請求項５】
人体に造設した排泄孔に対応する開口を有する接皮部と、
接皮部の非接皮側に固定され接皮部の開口に対応する開口を有する第１のフランジと、
第１のフランジの接皮部と反対側に着脱可能であり第１のフランジの開口に対応する開口を有する第２のフランジと、
接皮部の非接皮側において第１のフランジの内側に接皮部及び第１のフランジの各開口に対応する開口を有する第３のフランジと、
第３のフランジと着脱可能に形成され第３のフランジの開口に対応する開口を有する第４のフランジと、
第２のフランジの接皮部と反対側に取り付けられ接皮部、第１のフランジ及び第２のフランジの各開口と対応する開口を有する外側袋体と、
第４のフランジの接皮部と反対側に開口部が取り付けられ外側袋体の内側に外側袋体とは分離し得るように収納され排泄孔より接皮部及び第１のフランジの各開口を介して排出される排泄物を収容するための内側袋体と
を備え、
外側袋体は非水溶性のフィルムから形成され、
内側袋体は水に可溶又は崩壊する水溶性のフィルムから形成され、
外側袋体は内側袋体を外側袋体から分離して交換するための開閉可能な口を有する
ことを特徴とする排泄物用収容装具。
【請求項６】
第３のフランジの非接皮側及び第４のフランジの接皮部の側にそれぞれ相互に嵌合可能なリング状の嵌合部を有することを特徴とする請求項５記載の排泄物用収容装具。
【請求項７】
内側袋体はその開口部にリング状の粘着絆を有し、この粘着絆により第４のフランジの接皮部と反対側に着脱可能に取り付けたことを特徴とする請求項５又は６記載の排泄物用収容装具。
【請求項８】
内側袋体はその開口部を第４のフランジの接皮部と反対側に溶着により取り付けたことを特徴とする請求項５又は６記載の排泄物用収容装具。
【請求項９】
人体に造設した排泄孔に対応する開口を有する接皮部と、
接皮部の非接皮側に固定され接皮部の開口に対応する開口を有する第１のフランジと、
第１のフランジの接皮部と反対側に着脱可能であり第１のフランジの開口に対応する開口を有する第２のフランジと、
第２のフランジの接皮部と反対側に取り付けられ接皮部、第１のフランジ及び第２のフランジの各開口と対応する開口を有する外側袋体と、
第２のフランジの開口に対応する開口を有し第２のフランジの接皮部と反対側に着脱可能な今一つのフランジと、
この今一つのフランジの接皮部と反対側に取り付けられ外側袋体の内側に外側袋体とは分離し得るように収納され排泄孔より接皮部及び第１のフランジの各開口を介して排出される排泄物を収容するための内側袋体と
を備え、
外側袋体は非水溶性のフィルムから形成され、
内側袋体は水に可溶又は崩壊する水溶性のフィルムから形成され、
外側袋体は内側袋体を外側袋体から分離して交換するための開閉可能な口を有する
ことを特徴とする排泄物用収容装具。
【請求項１０】
第２のフランジの接皮部と反対側及び今一つのフランジの接皮部の側にそれぞれ相互に嵌合可能なリング状の嵌合部を有することを特徴とする請求項９記載の排泄物用収容装具。
【請求項１１】
内側袋体はその開口部にリング状の粘着絆を有し、この粘着絆により今一つのフランジの接皮部と反対側に着脱可能に取り付けたことを特徴とする請求項９又は１０記載の排泄物用収容装具。
【請求項１２】
内側袋体はその開口部を今一つのフランジの接皮部と反対側に溶着により取り付けたことを特徴とする請求項９又は１０記載の排泄物用収容装具。
【請求項１３】
人体に造設した排泄孔に対応する開口を有する接皮部と、
接皮部の非接皮側に固定され接皮部の開口に対応する開口を有する第１のフランジと、
第１のフランジの接皮部と反対側に着脱可能であり第１のフランジの開口に対応する開口を有する第２のフランジと、
第２のフランジの接皮部と反対側に取り付けられ接皮部、第１のフランジ及び第２のフランジの各開口と対応する開口を有し、排泄孔より排出される排泄物を収容するための水に可溶又は崩壊する水溶性のフィルムから形成された内側袋体を分離し得るように収納することができる外側袋体と
を備え、
外側袋体は非水溶性のフィルムから形成され、
外側袋体は内側袋体を外側袋体から分離して交換するための開閉可能な口を有する
ことを特徴とする排泄物用収容装具。
【請求項１４】
第１のフランジがリング状の嵌合部を有し、第２のフランジが接皮部の側に第１のフランジの嵌合部と着脱可能なリング状の嵌合部を有することを特徴とする請求項１３記載の排泄物用収容装具。
【請求項１５】
第１のフランジは、そのリング状の全面で接皮部の非接皮側に固定したことを特徴とする請求項１〜１４のいずれか１つに記載の排泄物用収容装具。
【請求項１６】
第１のフランジは、そのリング状内周縁で接皮部の非接皮側に固定し、リング状外周縁を非接皮側表面から浮かせたことを特徴とする請求項１〜１４のいずれか１つに記載の排泄物用収容装具。
【請求項１７】
人体に造設した排泄孔に対応する開口を有する接皮部と、
接皮部と反対側に取り付けられ接皮部の開口と対応する開口を有する外側袋体と、
外側袋体の内側に外側袋体とは分離し得るように収納され排泄孔より接皮部の開口を介して排出される排泄物を収容するための内側袋体と
を備え、
外側袋体は非水溶性のフィルムから形成され、
内側袋体内側袋体を外は水に可溶又は崩壊する水溶性のフィルムから形成され、
外側袋体は側袋体から分離して交換するための開閉可能な口を有する
ことを特徴とする排泄物用収容装具。
【請求項１８】
内側袋体はその開口部にリング状の粘着絆を有し、この粘着絆により接皮部の非接皮側の表面に着脱可能に取り付けたことを特徴とする請求項１７記載の排泄物用収容装具。
【請求項１９】
接皮部の開口に対応する開口を有するフランジが接皮部の非接皮側に固定され、
内側袋体はその開口部にリング状の粘着絆を有し、この粘着絆によりフランジに着脱可能に取り付けたことを特徴とする請求項１７記載の排泄物用収容装具。
【請求項２０】
内側袋体はその開口部にリング状嵌合部が形成されたフランジを有し、接皮部の非接皮側には、接皮部の開口に対応する開口を有し前記フランジと着脱可能なリング状嵌合部が形成されたフランジを有することを特徴とする請求項１７記載の排泄物用収容装具。
【請求項２１】
開閉可能な口を外側袋体の上部に有することを特徴とする請求項１〜２０のいずれか１つに記載の排泄物用収容装具。
【請求項２２】
開閉可能な口を外側袋体の上端に有することを特徴とする請求項１〜２１のいずれか１つに記載の排泄物用収容装具。
【請求項２３】
開閉可能な口がファスナーを有することを特徴とする請求項１〜２２のいずれか１つに記載の排泄物用収容装具。
【発明の詳細な説明】
【技術分野】
【０００１】
本発明は、人体に造設した排泄孔に装着して体内から排出する排泄物を一時的に収容するための排泄物用収容装具に関する。
【背景技術】
【０００２】
便、尿の失禁者、消化器系や泌尿器系器官の疾患のため外科的手術を行い腸管や尿管を体表まで導き体表面にストーマを造設した人、或はその他の疾患で体表面にストーマやフィステルを造設した人は、それらの造設された排泄孔から排出される便、尿、体液等の排泄物を処理するため、日常生活に支障を来さない時間は排泄物を貯留できる排泄物用収容装具を排泄孔に装着する。この排泄物用収容装具は一般に接皮部と収容器部とから構成されている。
【０００３】
接皮部は体表面の排泄孔の周囲に密着し、排泄物を漏らすことなく収容器部へ導くと共に収容器部を保持する機能を持っている。接皮部の機能を高めるため、排泄孔の周囲の体表面に密着し、皮膚刺激が少なく安心して使用できるように形態や接皮側の粘着剤について研究がなされ、形態については排泄孔の近辺を凸状態や凹状態にして排泄孔の近傍をよく密着するようにした技術が知られており、粘着剤については皮膚から出る汗を吸収して粘着力の低下を防止、また汗、排泄物中の皮膚刺激物や雑菌の繁殖による皮膚炎を防止する技術が知られている。
【０００４】
収容器部には、排泄物を一時的に貯留する機能の他に、ガスバリヤ性、しなやかさ、音が生じないこと、肌触りがよいことが要求される。例えばガスバリヤ性を高める技術として、ポリ塩化ビニリデン、塩素化ポリエチレン等を用いた単体又は複合フィルムを収容器部の袋体の構成材料として使用し、又肌への感触を高めるため袋体を構成するフィルムを柔軟にしたり表面にエンボス加工を施したり、或は不織布を重ね合わせることが行われている。
【０００５】
接皮部と収容器部とを組み合わせるための構造には、両者を一体化したワンピース型と、両者を粘着や嵌合により着脱可能にしたツーピース型とがあり、それぞれに適した目的で使用されている。
【０００６】
上述のように排泄物用収容装具には多くの改良が重ねられ、実用上の大きな問題はほぼ解決されている。しかしながら、近年、都市化が進みトイレが水洗化されたため、排泄物は取り出して水洗トイレに流すことができるが、使用済みの収容器部は水に溶解しないものであるから水洗トイレに流すことはできず、一般のごみとして廃棄しなければならず、環境汚染の問題として社会的に大きく取り上げられ、廃棄方法に苦慮している。
【０００７】
この問題を解決するため、収容器部を構成する袋体の材料に種々のものが提案されている。例えば、水溶性フィルムの片面を疎水性材料で被覆したもの（例えば特許文献１参照）、水溶性の中間層の内側に疎水性の被覆層、外側に耐水性であるがアルカリにより分解する被覆層を設けたもの（例えば特許文献２参照）、水溶性のオキシアルキレン基含有ビニルアルコール系重合体フィルム層を単層又は複層で使用するもの（例えば特許文献３参照）、生分解性複合フィルムを使用するもの（例えば特許文献４参照）、水に溶解又は分散するポリビニルアルコールのフィルムの内側を揆水剤で被覆したもの（例えば特許文献５参照）、水溶性のポリビニルアルコールからなるフィルムの内面に鹸化度の低いポリビニルアルコールの薄層を被覆して内面の水透過性を高めたもの（例えば特許文献６参照）、水溶解性の層の内側に弱い水不溶性の保護層を設けるもの（例えば特許文献７参照）、水崩壊性吸収シートの両面に水崩壊性シートを重ね合わせるもの（例えば特許文献８参照）等がある。これらの技術は、水溶性フィルムを基本とし、この水溶性フィルムが一定時間は排泄物により溶解しないように内側に耐水性素材の保護層を設けるものが多く、廃棄に際しては短時間に水洗トイレに詰まらない程度迄溶解又は崩壊させる必要から非常に微妙な品質が要求される。従って品質監理が難しく、又使用中折れたり擦れたりして保護層が破壊され、その傷の部分からフィルムが溶解又は崩壊して漏れを起こす問題があり普及していない。又廃棄時ｐＨをアルカリにして溶解させるものは環境上の問題や水洗設備を破壊する等の問題がある。
【特許文献１】実開平２−４４０２９号公報
【特許文献２】特開昭６３−６３４５６号公報
【特許文献３】特開平１−１６０５５０号公報
【特許文献４】特開平２−２８０７４８号公報
【特許文献５】特開平４−２００４７０号公報
【特許文献６】特開平６−２３４１９５号公報
【特許文献７】特開平６−３０４１９７号公報
【特許文献８】特開平７−２２２７６８号公報
【発明の開示】
【発明が解決しようとする課題】
【０００８】
本発明が解決しようとする課題は、排泄物の排出があったときその排泄物を直接収容する部分のみを簡単、清潔に廃棄処理することができ、その廃棄すべき部分ができるだけ少なく、水洗トイレに廃棄したとき速やかに水に溶解又は崩壊し、水洗トイレ設備、浄化設備に問題を起こすことなく簡単に最終処理が可能であり、環境汚染を起こさず、しかも使用中万一排泄物を収容する部分に破損が生じても装着者に被害を与えることなく安心して使用できる排泄物用収容装具を提供することにある。
【課題を解決するための手段】
【０００９】
上述の課題を解決するため、本発明においては、人体に造設した排泄孔に対応する開口を有する接皮部と、接皮部の非接皮側に固定され接皮部の開口に対応する開口を有する第１のフランジと、第１のフランジの接皮部と反対側に着脱可能であり第１のフランジの開口に対応する開口を有する第２のフランジと、第２のフランジの接皮部と反対側に取り付けられ接皮部、第１のフランジ及び第２のフランジの各開口と対応する開口を有する外側袋体と、外側袋体の内側に外側袋体とは分離し得るように収納され排泄孔より接皮部及び第１のフランジの各開口を介して排出される排泄物を収容するための内側袋体とを備え、外側袋体は非水溶性のフィルムから形成され、内側袋体は水に可溶又は崩壊する水溶性のフィルムから形成され、外側袋体は内側袋体を外側袋体から分離して交換するための開閉可能な口を有する。
【００１０】
また本発明においては、人体に造設した排泄孔に対応する開口を有する接皮部と、接皮部の非接皮側に固定され接皮部の開口に対応する開口を有する第１のフランジと、第１のフランジの接皮部と反対側に着脱可能であり第１のフランジの開口に対応する開口を有する第２のフランジと、接皮部の非接皮側において第１のフランジの内側に接皮部及び第１のフランジの各開口に対応する開口を有する第３のフランジと、第３のフランジと着脱可能に形成され第３のフランジの開口に対応する開口を有する第４のフランジと、第２のフランジの接皮部と反対側に取り付けられ接皮部、第１のフランジ及び第２のフランジの各開口と対応する開口を有する外側袋体と、第４のフランジの接皮部と反対側に開口部が取り付けられ外側袋体の内側に外側袋体とは分離し得るように収納され排泄孔より接皮部及び第１のフランジの各開口を介して排出される排泄物を収容するための内側袋体とを備え、外側袋体は非水溶性のフィルムから形成され、内側袋体は水に可溶又は崩壊する水溶性のフィルムから形成され、外側袋体は内側袋体を外側袋体から分離して交換するための開閉可能な口を有する。
【００１１】
さらに本発明においては、人体に造設した排泄孔に対応する開口を有する接皮部と、接皮部の非接皮側に固定され接皮部の開口に対応する開口を有する第１のフランジと、第１のフランジの接皮部と反対側に着脱可能であり第１のフランジの開口に対応する開口を有する第２のフランジと、第２のフランジの接皮部と反対側に取り付けられ接皮部、第１のフランジ及び第２のフランジの各開口と対応する開口を有する外側袋体と、第２のフランジの開口に対応する開口を有し第２のフランジの接皮部と反対側に着脱可能な今一つのフランジと、この今一つのフランジの接皮部と反対側に取り付けられ外側袋体の内側に外側袋体とは分離し得るように収納され排泄孔より接皮部及び第１のフランジの各開口を介して排出される排泄物を収容するための内側袋体とを備え、外側袋体は非水溶性のフィルムから形成され、内側袋体は水に可溶又は崩壊する水溶性のフィルムから形成され、外側袋体は内側袋体を外側袋体から分離して交換するための開閉可能な口を有する。
【発明の効果】
【００１２】
本発明によれば、非水溶性のフィルムからなる外側袋体の内側に、それと分離し得るように水溶性のフィルムからなる内側袋体が配置され、排泄物は内側袋体にのみ排出されるようになっており、排泄があったときは内側袋体のみを分離して外側袋体に設けた開閉可能な口から外部へ取り出し、そのまま水洗トイレ等に廃棄すれば、内側袋体は速やかに水に溶解ないし崩壊し、環境汚染を起こすことは全くなく、万一使用中に内側袋体の水溶性フィルムに損傷が生じて排泄物が漏れることがあっても外側袋体により保持され、装着者は全く不安なく使用することができ、外側袋体は繰り返し使用可能であるから経済的である。
【発明を実施するための最良の形態】
【００１３】
第１のフランジの接皮部と反対側及び第２のフランジの接皮部の側に相互に嵌合し合うリング状嵌合部をそれぞれの開口の周りに設け、両フランジを嵌合により着脱し得るようにするのが好ましい。嵌合部は一方を凸形に突出したリングとして形成し、他方をそのリングの形状に合った凹形の溝状のリングとして形成し、指の力で嵌合操作できるものが適しており、従来２ピース型として提案されている種々のものを使用することができる。嵌合のシール性を高めるため嵌合部にＯリングを組み込むこともできる。
【００１４】
内側袋体は、その開口部を第１のフランジと第２のフランジとの両嵌合部間に挟み込むようにし、両嵌合部を嵌合することにより内側袋体を接皮部と連結し、接皮部の開口を通して排出される排泄物を収容するようにし、両嵌合部の嵌合を解くことにより内側袋体を接皮部及び外側袋体から分離するようにすることができる。
【００１５】
また内側袋体は、その開口部にリング状の水溶性粘着絆を有し、この粘着絆でもって、第１のフランジに、又は接皮部の非接皮側に表面において第１のフランジの内側に、又は第２のフランジの接皮部と反対側において外側袋体の内側に着脱可能に取り付けてもよい。
【００１６】
第１のフランジ、第２のフランジの他に、接皮部の非接皮側において第１のフランジの内側に接皮部及び第１のフランジの各開口に対応する開口を有する第３のフランジと、第３のフランジと着脱可能に形成され第３のフランジの開口に対応する開口を有する第４のフランジとを有し、第４のフランジの接皮部と反対側に内側袋体を粘着又は溶着により取り付けてもよい。第３、第４のフランジの着脱機構には第１、第２のフランジと同様に嵌合を用いることができる。
【００１７】
第２のフランジの開口に対応する開口を有し第２のフランジの接皮部と反対側に着脱可能な今一つのフランジを有し、このフランジの接皮部と反対側に内側袋体を粘着又は溶着により取り付けてもよい。第２のフランジと今一つのフランジとの着脱機構には嵌合を用いることができる。
【００１８】
第１のフランジは、そのリング状の全面で接皮部の非接皮側に固定してもよいし、そのリング状内周縁で接皮部の非接皮側に固定し、リング状外周縁を接皮部の非接皮側表面から浮かせるようにしてもよい。
【００１９】
外側袋体の開閉可能な口は、外側袋体の上端に設けるのが有利である。また開閉可能な口がファスナーを有するようにしてもよい。
【００２０】
外側袋体を形成する非水溶性のフィルムとしては、水密性、ガスバリヤ性が高く、しなやかで、シール性に優れたものが適しており、従来排泄物用収容装具の袋体として使用されているものを用いることができるが、例えばポリエチレン、ポリ塩化ビニリデン、ポリ塩化ビニル、塩素化ポリエチレン、又はこれらに酢酸ビニル、ポリアクリル酸等をブレンド又は共重合させた単体フィルムや複合フィルムがある。外側袋体は、内側袋体との密着を防止し滑りをよくするため、内面にエンボスを施したり、静電防止処理を施すことが好ましい。
【００２１】
内側袋体を形成する水溶性のフィルムの材料としては、カルボキシルメチルセルロース、メチルセルロース、ヒドロキシプロピルメチルセルロース、ヒドロキシエチルセルロース、ヒドロキシプロピルセルロース、ポリビニルアルコール、ポリビニルピロリドン、プルラン、ポリエチレンオキサイド、及びこれらの誘導体又はブレンド物がある。
【００２２】
内側袋体の開口部に設ける水溶性の粘着絆の材料としては、基材として上述の水溶性フィルム、水に崩壊する不織紙を用い、粘着剤としてポリビニルアルコール、ポリビニルメチルエーテル、ポリビニルピロリドン、ポリアクリルアミド、ポリカルボン酸を主成分としこれらに粘着付与剤を配合したものを用いるものがある。
【実施例】
【００２３】
次に本発明の実施例を図面について説明する。
【００２４】
図１において、ａは本発明の実施例の正面図、ｂはその縦断面図、ｃ、ｄはその使用状態の説明図である。１は接皮部で例えば円形状をなし中心部に開口２を備え、接皮側には粘着層３、接皮側と反対側即ち非接皮側の表面にはリング状の第１のフランジ４が固定され、第１のフランジ４は接皮部１の開口２に対応する開口５を有し、外周縁には凸形のリング状嵌合部６が設けられている。７は第１のフランジ４と着脱可能なリング状の第２のフランジで、第１のフランジ４の開口５に対応する開口８と第１のフランジの嵌合部６と嵌合し得る凹形のリング状嵌合部９を備えている。第２のフランジ７の嵌合部９と反対側には外側袋体１０が固定され、外側袋体１０は非水溶性のフィルムから形成され、第２のフランジの開口８と対応する開口１１を備え、下端１２は封止されているが、上端１３は開閉できるようにポリチヤック付きのファスナー１４を有している。外側袋体１０の内部には内側袋体１５が挿入され、この内側袋体１５は水に可溶又は崩壊する水溶性のフィルムから形成され、開口部１６を除いて封止されている。その開口部１６は外側袋体の開口１１、第２のフランジの開口８から外へ引き出しやすいようにその部分で一旦窄められ、それから喇叭状に広がるような形状を有し、第１のフランジの嵌合部６と第２のフランジの嵌合部９とを嵌合させたとき、両者の嵌合面間に挟着され得るような十分な広がりを持っている。
【００２５】
次にこの排泄物用収容装具の使用方法を説明する。図１ｃに示すように接皮部１の開口２が人体に造設した排泄孔例えばストーマ１００に対向するようにして接皮部１の粘着層３により体表面１０１に固定する。内側袋体の開口部１６の先端部分を第１のフランジの嵌合部６又は第２のフランジの嵌合部９上に被せるようにして第２のフランジの嵌合部９と第１のフランジの嵌合部６とを嵌合すると、内側袋体の開口部１６は両嵌合部６、９間に挟み込まれ液密に固定される。その結果、ストーマ１００より接皮部の開口２、第１のフランジの開口５、内側袋体の開口部１６を通して内側袋体１５の内部に通じる路が形成され、排泄物１０２は矢印で示すように内側袋体１５内に収容される。
【００２６】
排泄があった後内側袋体を交換したいときには、図１ｄに示すように、両嵌合部６、９間の嵌合を解くことにより内側袋体１５の開口部１６は外されるから、外側袋体のファスナー１４を開くことにより内側袋体１５は外部へ引き出すことができ、内側袋体１５はすべて水溶性のフィルムで形成されているからそのまま水洗トイレ等に捨てることができる。新しい内側袋体を外側袋体の上端から挿入し、その開口部を第２のフランジの開口から引き出して両フランジを嵌合すれば、再び使用可能状態となる。
【００２７】
第１のフランジの嵌合部と第２のフランジの嵌合部との構造については、従来のいわゆる２ピース型排泄物用収容装具で使用されている嵌合機構と同様のものを使用することができる。図２には図１で使用したものと異なる嵌合構造のいくつかの例を示し、図１と同等部分には同符号を付してある。図２ａの嵌合構造では、第１のフランジの嵌合部６の外周部にＯリング６１を付加したもので、これによってシール機能が高められる。図２ｂの嵌合構造では、嵌合に際し第２のフランジの嵌合部９上に内側袋体１５の開口部１６を被せその上にゴムバンド９１を巻き付け内側袋体１５を固定し、この嵌合部９を第１のフランジ４の嵌合部６と嵌合することにより、嵌合操作を容易にしたものである。図２ｃの嵌合構造では、第１のフランジ４の嵌合部６は２つの凸形リング６２、６３を有し、第２のフランジ７の嵌合部９は２つの凹形リング９２、９３を有し、二重の嵌合機構になっている。
【００２８】
図３は別の実施例の縦断面図であり、図１と同等部分には同符号を付してある。内側袋体１５はその開口部１６に水溶性のリング状の粘着絆１５１が取り付けられ、この粘着絆１５１でもって第１のフランジ４の非接皮側で嵌合部６の内側に取り付けられている。なおこの内側袋体１５の開口部１６は図１の場合のように両嵌合部間に挟み込むものでないから、喇叭状の広がり部分は必要としない。内側袋体１５は粘着絆１５１ごと第１のフランジから引き剥がしそのまま水洗トイレ等に捨てることができる。また粘着絆１５１でもって、第１のフランジの表面ではなく、接皮部の非接皮側の表面に直接内側袋体１５を取り付けるようにしてもよい。
【００２９】
図４は別の実施例の縦断面図であり、図３の実施例と同様に内側袋体１５はその開口部１６に水溶性のリング状の粘着絆１５１が取り付けられているが、この粘着絆１５１でもって、第１のフランジではなく第２のフランジ７の接皮部と反対側の表面で外側袋体１０の内側に取り付けられる点が相違している。この実施例では、使用済みの内側袋体１５は粘着絆１５１と共に第２のフランジ７から引き剥がし、新しい内側袋体をその粘着絆でもって第２のフランジ上に粘着固定することにより交換することができる。
【００３０】
図５はさらに異なる実施例の縦断面図を示し、図１と同等部分には同符号を付してある。接皮部１の非接皮側には第１のフランジ４の内側にさらにリング状の第３のフランジ１７が設けられ、その外周縁にはリング状嵌合部１８が形成されている。内側袋体１５は図３と同様に開口部１６に水溶性のリング状の粘着絆１５１が取り付けられ、この粘着絆１５１でもって第４のフランジ１９の一方の側に取り付けられ、第４のフランジ１９の他方の側、即ち接皮部の側には第３のフランジの嵌合部１８と対応するリング状嵌合部２０が形成され、両嵌合部１８、２０を嵌合することにより内側袋体１５は接皮部１に結合される。内側袋体１５はその粘着絆１５１ごと第４のフランジ１９から引き剥がして除いてもよいし、或は先ず両嵌合部１８、２０の嵌合を解き、第４のフランジ１９と共に外側袋体１０から引き出し、しかる後粘着絆１５１を第４のフランジ１９から引き剥がすようにしてもよく、後者の方法の方が新しい内側袋体を第４のフランジ１９に貼り付ける操作が容易である。
【００３１】
図５の実施例において、内側袋体の開口部に粘着絆を設けず、第４のフランジの一方の側に溶着等の手段で固定することもできる。この場合には使用済みの内側袋体は引き剥がしによって第４のフランジから外されるが、第４のフランジは再利用されず、内側袋体とは別に廃棄処分される。
【００３２】
図６は又異なる実施例の縦断面図で、図１と同等部分には同符号を付してある。第２のフランジ７はその嵌合部９と反対側、即ち外側袋体１０の内側に更に凸形のリング状嵌合部２１を有している。２２は内側袋体のためのフランジで、その接皮部側には嵌合部２１と対応する凹形のリング状嵌合部２３を有し、それと反対側には図３に示す内側袋体と同様に粘着絆１５１を有する内側袋体１５が取り付けられている。嵌合部６、９間、嵌合部２１、２３間の嵌合を形成することにより内側袋体１５は接皮部１と結合される。なおこの場合、図５の変形例で説明したように、内側袋体を粘着絆ではなく溶着等でフランジに固定することもできる。
【００３３】
上述の各例では第１のフランジは接皮部上に全面的に固着した構造で説明したが、外周部を接皮部から浮かした構造にすることもできる。図７はその一例の縦断面図で、第１のフランジ４はそのリング状内周縁４１でもって接皮部１の非接皮側表面上に接皮部の開口２と同心的に位置せしめて例えば溶着により固定され、接皮部の表面に沿って外方に延び、外周縁４２は接皮部の非接皮側表面から若干浮いており、その接皮部と反対側にリング状嵌合部６が設けられている。この構造によれば第１のフランジと第２のフランジの両嵌合部を嵌合させるとき第１のフランジ４の裏側に指を挿入して嵌合操作を容易にすることができる。このようなフランジ構造は第１のフランジに限らず上述の実施例の第３のフランジにも適用することができる。
【００３４】
内側袋体の形状については種々のものを使用することができる。図８はそのいくつかの実施例の正面図と縦断側面図を概略的に示したものである。図８のａ１、ａ２に示すものは長方形型で三面シールされ、上部に開口部１６を有するもの、ｂ１、ｂ２に示すものは三面シールされ上部に開口部１６を有し、かつ開口部近傍に絞り２４を設けたもの、ｃ１、ｃ２は片面に開口部１６を設け、開口部にフレアー２５を付け、四面シールしたもの、ｄ１、ｄ２は片面に開口部１６を設け、開口部１６の周囲にリング状の水溶性粘着絆２６を設け、四面シールしたもの、ｅ１、ｅ２は開口部１６に向かって次第に狭くした三面シールのもので、上述の実施例にそれぞれ適したものを使用することができる。
【００３５】
上述の実施例では、外側袋体は上部に開閉部分を有するものについて説明したが、下部に開閉部分を設けてもよい。嵌合部の構造についても上述の実施例の凸形と凹形を逆にすることも可能である。
【図面の簡単な説明】
【００３６】
【図１】本発明の一実施例の、ａは正面図、ｂは縦断面図、ｃ、ｄは使用状態の説明図である。
【図２】本発明で使用される嵌合部の異なる実施例の縦断面図である。
【図３】本発明の一実施例の要部の縦断面図である。
【図４】本発明の一実施例の要部の縦断面図である。
【図５】本発明の一実施例の要部の縦断面図である。
【図６】本発明の一実施例の要部の縦断面図である。
【図７】本発明の一実施例の要部の縦断面図である。
【図８】本発明で使用される内側袋体の異なる実施例のそれぞれ正面図及び縦断側面図である。
【符号の説明】
【００３７】
１  接皮部
２  開口
３  粘着層
４  第１のフランジ
５  開口
６  嵌合部
６１  Ｏリング
７  第２のフランジ
８  開口
９  嵌合部
９１  ゴムバンド
１０  外側袋体
１１  開口
１２  下端
１３  上端
１４  ファスナー
１５  内側袋体
１６  開口部
１７  第３のフランジ
１８  嵌合部
１９  第４のフランジ
２０  嵌合部
２１  嵌合部
２２  フランジ
２３  嵌合部
１００  ストーマ
１０１  体表面
１０２  排泄物
【図１】
2006043482.tif 000003
【図２】
2006043482.tif 000004
【図３】
2006043482.tif 000005
【図４】
2006043482.tif 000006
【図５】
2006043482.tif 000007
【図６】
2006043482.tif 000008
【図７】
2006043482.tif 000009
【図８】
2006043482.tif 000010